【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
冷媒流路形成面に冷媒流路を有すると共に該冷媒流路に冷媒を供給するマニホールドが貫通形成されたセパレータと、該セパレータの冷媒流路形成面側に積層された積層部材と、これらセパレータと積層部材との間に介在して前記冷媒流路を流れる冷媒をシールするシール部と、を備えた燃料電池であって、
前記シール部のうち前記マニホールドの近傍に配置されたマニホールド近傍部と前記マニホールドとの間には、前記マニホールドの開口面と面一の部分を残して、前記マニホールドから前記冷媒流路形成面に供給された冷媒の前記マニホールド近傍部側への流れを規制する冷媒規制部が設けられており、
前記冷媒規制部の一部と前記マニホールドの内壁とが、前記マニホールドの貫通方向に面一とされている燃料電池。
【請求項２】
請求項１に記載の燃料電池において、
前記冷媒規制部は、前記シール部のうち前記マニホールドの開口縁に沿って延びる部位の内側ラインの近傍に設けられている燃料電池。
【請求項３】
請求項１又は２に記載の燃料電池において、
前記冷媒規制部は、前記セパレータの冷媒流路形成面側に設けられた凸部よりなる燃料電池。
【請求項４】
請求項１〜３のいずれか１項に記載の燃料電池において、
前記冷媒規制部が前記シール部よりも圧縮荷重に対して変形し難い構造である燃料電池。
【請求項５】
請求項１〜４のいずれか１項に記載の燃料電池において、
前記冷媒規制部は、導電性を有する燃料電池。
【請求項６】
請求項１〜５のいずれか１項に記載の燃料電池において、
前記冷媒規制部は、導電性を有する前記セパレータに一体成形されたものである燃料電池。
【請求項７】
請求項１〜６のいずれか１項に記載の燃料電池において、
前記セパレータは、前記冷媒流路を流れる冷媒を排出する第２のマニホールドを有し、
前記シール部のうち前記第２のマニホールドの近傍に配置された第２のマニホールド近傍部と前記第２のマニホールドとの間にも、前記第２のマニホールドの開口面と面一の部分を残して、前記冷媒流路から前記第２のマニホールドへと排出される冷媒の前記第２のマニホールド近傍部側への流れを規制する冷媒規制部が設けられており、
この冷媒規制部の一部と前記第２のマニホールドの内壁とが、前記第２のマニホールドの貫通方向に面一とされている燃料電池。
【請求項８】
冷媒流路形成面に冷媒流路を有すると共に該冷媒流路に冷媒を供給するマニホールドが貫通形成されてなり、前記マニホールドから供給されて前記冷媒流路を流れる冷媒をシールするシール部が前記冷媒流路形成面に設けられた燃料電池用のセパレータであって、
前記シール部のうち前記マニホールドの近傍に配置されたマニホールド近傍部と前記マニホールドとの間には、前記マニホールドの開口面と面一の部分を残して、前記マニホールドから前記冷媒流路形成面に供給された冷媒の前記マニホールド近傍部側への流れを規制する冷媒規制部が設けられており、
前記冷媒規制部の一部と前記マニホールドの内壁とが、前記マニホールドの貫通方向に面一とされている燃料電池用セパレータ。
【請求項９】
請求項８に記載の燃料電池用セパレータにおいて、
前記冷媒規制部は、前記シール部のうち前記マニホールドの開口縁に沿って延びる部位の内側ラインの近傍に設けられている燃料電池用セパレータ。
【請求項１０】
請求項８又は９に記載の燃料電池用セパレータにおいて、
前記冷媒規制部は、前記冷媒流路形成面側に設けられた凸部よりなる燃料電池用セパレータ。
【請求項１１】
請求項８〜１０のいずれか１項に記載の燃料電池用セパレータにおいて、
前記冷媒規制部が前記シール部よりも圧縮荷重に対して変形し難い構造である燃料電池用セパレータ。
【請求項１２】
請求項８〜１１のいずれか１項に記載の燃料電池用セパレータにおいて、
前記冷媒規制部は、導電性を有する燃料電池用セパレータ。
【請求項１３】
請求項８〜１２のいずれか１項に記載の燃料電池用セパレータにおいて、
前記冷媒規制部は、導電性を有する当該セパレータに一体成形されたものである燃料電池用セパレータ。
【請求項１４】
請求項８〜１３のいずれか１項に記載の燃料電池用セパレータにおいて、
前記冷媒流路を流れる冷媒を排出する第２のマニホールドを有し、
前記シール部のうち前記第２のマニホールドの近傍に配置された第２のマニホールド近傍部と前記第２のマニホールドとの間にも、前記第２のマニホールドの開口面と面一の部分を残して、前記冷媒流路から前記第２のマニホールドへと排出される冷媒の前記第２のマニホールド近傍部側への流れを規制する冷媒規制部を有し、
この冷媒規制部の一部と前記第２のマニホールドの内壁とが、前記第２のマニホールドの貫通方向に面一とされている燃料電池用セパレータ。
【手続補正２】
【補正対象書類名】明細書
【補正対象項目名】００１１
【補正方法】変更
【補正の内容】
【００１１】
上記の課題を解決するため、本発明の燃料電池は、冷媒流路形成面に冷媒流路を有すると共に該冷媒流路に冷媒を供給するマニホールドが貫通形成されたセパレータと、該セパレータの冷媒流路形成面側に積層された積層部材と、これらセパレータと積層部材との間に介在して前記冷媒流路を流れる冷媒をシールするシール部と、を備えた燃料電池であって、前記シール部のうち前記マニホールドの近傍に配置されたマニホールド近傍部と前記マニホールドとの間には、前記マニホールドの開口面と面一の部分を残して、前記マニホールドから前記冷媒流路形成面に供給された冷媒の前記マニホールド近傍部側への流れを規制する冷媒規制部が設けられており、前記冷媒規制部の一部と前記マニホールドの内壁とが、前記マニホールドの貫通方向に面一とされているものである。
【手続補正３】
【補正対象書類名】明細書
【補正対象項目名】００１２
【補正方法】変更
【補正の内容】
【００１２】
このような構成によれば、シール部近傍のような冷却を行う必要がない領域、すなわち、発電領域外に冷媒の一部が回り込むことが規制される。つまり、マニホールドを出た冷媒は、冷却を行う必要のない領域への回り込みを抑制されながら各冷媒流路に導入される。
【手続補正４】
【補正対象書類名】明細書
【補正対象項目名】００１３
【補正方法】変更
【補正の内容】
【００１３】
前記冷媒規制部は、前記シール部のうち前記マニホールドの開口縁に沿って延びる部位の内側ラインの近傍に設けられていてもよい。
【手続補正５】
【補正対象書類名】明細書
【補正対象項目名】００１４
【補正方法】変更
【補正の内容】
【００１４】
前記冷媒規制部は、前記セパレータの冷媒流路形成面側に設けられた凸部よりなるものでもよい。
このような構成によれば、凸部の先端がこれと向かい合った積層部材と接することで、冷媒が凸部を乗り越えてシール近傍に回り込むことが規制される。凸部はセパレータと一体成形されたものでもよいし、別体に成形されてセパレータに固定されたものであってもよい。
【手続補正６】
【補正対象書類名】明細書
【補正対象項目名】００１５
【補正方法】変更
【補正の内容】
【００１５】
前記冷媒規制部が前記シール部よりも圧縮荷重に対して変形し難い構造であってもよい。
【手続補正７】
【補正対象書類名】明細書
【補正対象項目名】００１６
【補正方法】変更
【補正の内容】
【００１６】
この構成によれば、冷媒規制部が例えばガスケットのようには容易に変形しないので、単に冷媒流れを規制するだけでなく、セパレータを所定間隔で積層するためのスペーサとしても機能させることができる。
【手続補正８】
【補正対象書類名】明細書
【補正対象項目名】００１７
【補正方法】変更
【補正の内容】
【００１７】
前記冷媒規制部は、導電性を有していてもよい。この場合、前記冷媒規制部は、導電性を有する前記セパレータに一体成形されたものであってもよい。
【手続補正９】
【補正対象書類名】明細書
【補正対象項目名】００１８
【補正方法】変更
【補正の内容】
【００１８】
前記セパレータは、前記冷媒流路を流れる冷媒を排出する第２のマニホールドを有し、前記シール部のうち前記第２のマニホールドの近傍に配置された第２のマニホールド近傍部と前記第２のマニホールドとの間にも、前記第２のマニホールドの開口面と面一の部分を残して、前記冷媒流路から前記第２のマニホールドへと排出される冷媒の前記第２のマニホールド近傍部側への流れを規制する冷媒規制部が設けられており、この冷媒規制部の一部と前記第２のマニホールドの内壁とが、前記第２のマニホールドの貫通方向に面一とされていてもよい。
【手続補正１０】
【補正対象書類名】明細書
【補正対象項目名】００１９
【補正方法】変更
【補正の内容】
【００１９】
本発明の燃料電池用セパレータは、冷媒流路形成面に冷媒流路を有すると共に該冷媒流路に冷媒を供給するマニホールドが貫通形成されてなり、前記マニホールドから供給されて前記冷媒流路を流れる冷媒をシールするシール部が前記冷媒流路形成面に設けられた燃料電池用のセパレータであって、前記シール部のうち前記マニホールドの近傍に配置されたマニホールド近傍部と前記マニホールドとの間には、前記マニホールドの開口面と面一の部分を残して、前記マニホールドから前記冷媒流路形成面に供給された冷媒の前記マニホールド近傍部側への流れを規制する冷媒規制部が設けられており、前記冷媒規制部の一部と前記マニホールドの内壁とが、前記マニホールドの貫通方向に面一とされている。
【手続補正１１】
【補正対象書類名】明細書
【補正対象項目名】００２０
【補正方法】変更
【補正の内容】
【００２０】
このように構成されたセパレータが燃料電池の一積層部材として他の積層部材と共に積層されて燃料電池が構成されると、シール部近傍のような冷却を行う必要がない領域、すなわち、発電領域外に冷媒の一部が流れ込むことが規制される。つまり、マニホールドを出た冷媒は、冷却を行う必要のない領域への回り込みを抑制されながら各冷媒流路に導入される。
【手続補正１２】
【補正対象書類名】明細書
【補正対象項目名】００２１
【補正方法】変更
【補正の内容】
【００２１】
前記冷媒規制部は、前記シール部のうち前記マニホールドの開口縁に沿って延びる部位の内側ラインの近傍に設けられていてもよい。
【手続補正１３】
【補正対象書類名】明細書
【補正対象項目名】００２２
【補正方法】変更
【補正の内容】
【００２２】
前記冷媒規制部は、前記冷媒流路形成面側に設けられた凸部よりなるものでもよい。
【手続補正１４】
【補正対象書類名】明細書
【補正対象項目名】００２３
【補正方法】変更
【補正の内容】
【００２３】
このような構成によれば、凸部の先端がこれと向かい合った積層部材と接することで、冷媒が凸部を乗り越えてシール近傍に回り込むことが規制される。凸部はセパレータと一体成形されたものでもよいし、別体に成形されてセパレータに固定されたものであってもよい。
【手続補正１５】
【補正対象書類名】明細書
【補正対象項目名】００２４
【補正方法】変更
【補正の内容】
【００２４】
前記冷媒規制部が前記シール部よりも圧縮荷重に対して変形し難い構造であってもよい。
この構成によれば、冷媒規制部が例えばガスケットのようには容易に変形しないので、単に冷媒流れを規制するだけでなく、セパレータを所定間隔で積層するためのスペーサとしても機能させることができる。
【手続補正１６】
【補正対象書類名】明細書
【補正対象項目名】００２５
【補正方法】変更
【補正の内容】
【００２５】
前記冷媒規制部は、導電性を有していてもよい。この場合、前記冷媒規制部は、導電性を有する当該セパレータに一体成形されたものであってもよい。
【手続補正１７】
【補正対象書類名】明細書
【補正対象項目名】００２６
【補正方法】変更
【補正の内容】
【００２６】
前記冷媒流路を流れる冷媒を排出する第２のマニホールドを有し、前記シール部のうち前記第２のマニホールドの近傍に配置された第２のマニホールド近傍部と前記第２のマニホールドとの間にも、前記第２のマニホールドの開口面と面一の部分を残して、前記冷媒流路から前記第２のマニホールドへと排出される冷媒の前記第２のマニホールド近傍部側への流れを規制する冷媒規制部を有し、この冷媒規制部の一部と前記第２のマニホールドの内壁とが、前記第２のマニホールドの貫通方向に面一とされていてもよい。
【手続補正１８】
【補正対象書類名】明細書
【補正対象項目名】００３１
【補正方法】変更
【補正の内容】
【００３１】
セパレータ１４ａ，１４ｂの一方の端部（短辺部）には、酸化ガスの入口側のマニホールド４１、水素ガスの入口側のマニホールド４２、および冷却水（冷媒）の入口側のマニホールド４３が矩形状に貫通形成されている。セパレータ１４ａ，１４ｂの他方の端部（短辺部）には、酸化ガスの出口側のマニホールド５１、水素ガスの出口側のマニホールド５２、および冷却水の出口側のマニホールド（第２のマニホールド）５３が矩形状に貫通形成されている。